(57)【要約】      （修正有）【課題】簡便かつ正確に電圧検出部と基板を接続できる組電池の提供。【解決手段】端子を有する複数の二次電池５と、上面の前記端子７ａ，７ｂに対応する部分が開口するよう複数の二次電池５を収容し、上面に複数のナット収容部１６を有する筐体１０と、複数のナット収容部１６に収容される複数のナット１５と、前記開口を介して複数の二次電池５の端子同士７ａ，７ｂを電気的に接続し、複数のナット収容部１６の対応位置に複数の第一の孔部を有する電圧検出部を備えるバスバー１２と、前記複数の第一の孔部の対応位置に前記複数の第一の孔部と電気的に接続する複数の第二の孔部を有し、前記電圧検出部から検出された電圧情報を処理する電圧処理部を備える基板と、前記第二の孔部と前記第一の孔部に挿入され、ナット１５に嵌合えするねじ部材と、を有している組電池１。【選択図】図１
2019053928.tif 000002
【特許請求の範囲】
【請求項１】
端子を有する複数の二次電池と、
上面の前記端子に対応する部分が開口するよう前記複数の二次電池を収容し、前記上面
に複数のナット収容部を有する筐体と、
前記複数のナット収容部に収容される複数のナットと、
前記開口を介して前記複数の二次電池の前記端子同士を電気的に接続し、前記複数のナ
ット収容部の対応位置に複数の第一の孔部を有する電圧検出部を備えるバスバーと、
前記複数の第一の孔部の対応位置に前記複数の第一の孔部と電気的に接続する複数の
第二の孔部を有し、前記電圧検出部から検出された電圧情報を処理する電圧処理部を備え
る基板と、
前記第二の孔部と前記第一の孔部に挿入され、前記ナットに嵌合えするねじ部材と、
を備えた組電池。
【請求項２】
前記バスバーは第三の孔部と、
前記筐体には前記第三の孔部に挿通するピンと、
を備えた請求項１に記載の組電池。
【請求項３】
前記ナット収容部には、前記ナットよりも軟らかい材料で形成されたリブが備えられた
、請求項１又は請求項２に記載の組電池。
【請求項４】
前記ナット収容部には、前記ナットの孔部に嵌合する、ボス部が備えられた、請求項１
乃至請求項３のいずれか一項に記載の組電池。
【請求項５】
前期ナット収容部には、スナップフィットが備えられている、請求項１乃至請求項４の
いずれか一項に記載の組電池。
【請求項６】
端子を有する複数の二次電池と、
上面の前記端子に対応する部分が開口するよう前記複数の二次電池を収容し、前記上面
に複数のねじ頭部収容部を有する筐体と、
前記複数のねじ頭部収容部にねじ頭部が収容される複数の第二のねじ部材と、
前記開口を介して前記複数の二次電池の前記端子同士を電気的に接続し、前記複数の第二
のねじ部材が挿入される複数の第一の孔部を有する電圧検出部を備えるバスバーと、
前記複数の第一の孔部の対応位置に前記複数の第一の孔部と電気的に接続し前記複数の
第二のねじ部材が挿入される複数の第二の孔部を有し、前記電圧検出部から検出された電
圧情報を処理する電圧処理部を備える基板と、
前記第一の孔部と前記第二の孔部に挿入された前記第二のねじ部材と篏合する第二のナ
ットと、
を備えた組電池。
【請求項７】
前記バスバーは第三の孔部と、
前記筐体には前記第三の孔部に挿通するピンと、
を備えた請求項６に記載の組電池。
【請求項８】
前記ねじ頭部収容部には、  前記第二のねじ頭部よりも軟らかい材料で形成された第二
のリブが備えられた、請求項６又は請求項７に記載の組電池。
【請求項９】
前記ねじ頭部収容部には、スナップフィットが備えられている、請求項６乃至請求項８
のいずれか一項に記載の組電池。
【発明の詳細な説明】
【技術分野】
【０００１】
本発明の実施形態は、組電池に関する。
【背景技術】
【０００２】
近年、車両や電子機器、その他産業用の電源として、組電池の用途が拡大している。組
電池は大容量化に伴い複数の電池セルを組み合わせて使用されているが、複数の二次電池
セルの電圧を測定するために複数の電圧検出部が備えられている。電圧検出部は、二次電
池セルの電圧を監視する基板に電気的に接続されることで、二次電池セルの電圧を測定し
ている。
【先行技術文献】
【特許文献】
【０００３】
【特許文献１】特開２０１２−２５６５２１号公報
【発明の概要】
【発明が解決しようとする課題】
【０００４】
このような組電池を組み立てる際電圧検出部と基板を接続する必要があるが、基板の製造
公差などが生じて、電圧検出部と基板を正確に接続することが難しく、接触不良を生じる
可能性ががある。そこで、本発明が解決しようとする課題は、簡便かつ正確に電圧検出部
と基板を接続できる組電池を提供することである。
【課題を解決するための手段】
【０００５】
上記の課題を解決するために、本実施形態の組電池は、端子を有する複数の二次電池と
、上面の前記端子に対応する部分が開口するよう前記複数の二次電池を収容し、前記上面
に複数のナット収容部を有する筐体と、前記複数のナット収容部に収容される複数のナッ
トと、前記開口を介して前記複数の二次電池の前記端子同士を電気的に接続し、前記複数
のナット収容部の対応位置に複数の第一の孔部を有する電圧検出部を備えるバスバーと、
前記複数の第一の孔部の対応位置に前記複数の第一の孔部と電気的に接続する複数の第二
の孔部を有し、前記電圧検出部から検出された電圧情報を処理する電圧処理部を備える基
板と、前記第二の孔部と前記第一の孔部に挿入され、前記ナットに嵌合えするねじ部材と
、を有している。
【図面の簡単な説明】
【０００６】
【図１】実施形態にかかる組電池の分解斜視図。
【図２】実施形態にかかる二次電池セルの斜視図。
【図３】実施形態にかかるバスバー斜視図。
【図４】実施形態にかかる組電池の部分分解斜視図。
【図５】変形例１にかかるナットとナット収容部の斜視図。
【図６】変形例１にかかるナットとナット収容部の断面図。
【図７】変形例２にかかるナットとナット収容部の斜視図。
【図８】変形例２にかかるナットとナット収容部の断面図。
【図９】変形例３にかかるナットとナット収容部の斜視図。
【図１０】変形例３にかかるナットとナット収容部の断面図。
【図１１】変形例４にかかる組電池の部分分解斜視図。
【図１２】変形例５にかかるねじ部材とねじ頭部収容部の斜視図。
【図１３】変形例５にかかるねじ部材とねじ頭部収容部の断面図。
【図１４】変形例６にかかるねじ部材とねじ頭部収容部の斜視図。
【図１５】変形例６にかかるねじ部材とねじ頭部収容部の断面図。
【発明を実施するための形態】
【０００７】
以下、実施形態を図面に基づき説明する。
【０００８】
図１は、実施形態に係る組電池１の分解斜視図である。
【０００９】
以下、実施形態を図面に基づき説明する。
【００１０】
図１は、実施形態に係る組電池１の分解斜視図である。組電池１の筐体１０は上面が開
口した矩形箱状の下部ケース２と、この下部ケース２の開口している上面側に接続され、
下面が開放した矩形箱状の上部ケース３と、この中間ケースの上部を覆う、下面が開口し
た矩形箱状の蓋４と、から構成されている。
【００１１】
なお、筐体１０の各部品には、絶縁性を有した合成樹脂材料（例えば、変性ＰＰＥ（ポ
リフェニレンエーテル）や、ＰＦＡ（パーフルオロアルコキシアルカン、テトラフルオロ
エチレン・パーフルオロアルキルビニルエーテル共重合体）等）が用いられている。
【００１２】
また、筐体１０の合成樹脂材料としては、熱可塑性樹脂を用いることができ、例えば、Ｐ
Ｅや、ＰＰ、ＰＭＰ等のオレフィン樹脂、ＰＥＴや、ＰＢＴ、ＰＥＮ等のポリエステル系
樹脂、ＰＯＭ樹脂、ＰＡ６、ＰＡ６６、ＰＡ１２等のポリアミド系樹脂、ＰＰＳ樹脂、Ｌ
ＣＰ樹脂等の結晶性樹脂およびそれらのアロイ樹脂、あるいは、ＰＳや、ＰＣ、ＰＣ／Ａ
ＢＳ、ＡＢＳ、ＡＳ、変性ＰＰＥ、ＰＥＳ、ＰＥＩ、ＰＳＦ等の非結晶性樹脂およびそれ
らのアロイ樹脂を、用いることができる。
【００１３】
筐体１０の内部には図２に示すような、複数の二次電池セル５が二次電池セル５の厚さ方
向（Ｘ方向）に沿って収容されている。二次電池セル５は、例えば、リチウムイオン電池
などの非水電解質二次電池であり、例えば、アルミニウムまたはアルミニウム合金で形成
された扁平又は略直方形状の外装容器６と、外装容器６内に非水電解液と共に収納された
電極体（図示しない）と、を備えている。
【００１４】
外装容器６の上部の蓋体９には、二次電池セル５の長手方向Ｙの両端部に正極と負極の
２種の端子７ を備えており、正極端子７ａ及び負極端子７ｂは電極体に電気的に接続さ
れている。また、二次電池セル５内に発生したガスを排出するガス排出弁８、非水電解液
を二次電池セル５の内部に注入するための注液口１１を備えていてもよい。
【００１５】
図１では、二次電池セル５を９個直列に接続した例を示している。二次電池セル５は長
側面同士を対向させて筐体１０内に配列され、電池セル群を構成する。上部ケース３の、
二次電池セル５の正極端子７ａ、負極端子７ｂに対応する部分は開口しており正極端子７
ａおよび負極端子７ｂは、バスバー１２の端子接続面１２ｃに例えば溶接等で接続されて
いる。
【００１６】
図３を用いてバスバー１２についてより詳しく説明する。バスバー１２は隣り合う二次電
池セル５の正極端子７ａと負極端子７ｂとを電気的に接続し、また、二次電池セル５の電
圧情報を後述する基板１３に伝えて電圧を測定できるようにするものである。バスバー１
２は端子接続面１２ｃを有し、さらに応力緩和部１２ｄを備えている。二次電池セル５の
正極端子７ａまたは負極端子７ｂに接続される２つの端子接続面１２ｃの間に、例えば端
子接続面１２ｃと直交する面１１ｅと、端子接続面１２ｃと平行な面１２ｆと、を有する
よう折り曲げられている。これにより、正極端子７ａまたは負極端子７ｂに接続された端
子接続面１２ｃの位置が近づく方向や遠ざかる方向にずれた際にバスバー１２に応力がか
かった場合でも、応力緩和部１２ｄが弾性変形することにより応力を緩和することが出来
る。なお、バスバー１２は、導電性のアルミニウムや真鍮等の金属板を曲げて成形して形
成される。
【００１７】
さらに、バスバー１２は後述する基板１３と電気的に接続するねじ部材１４を挿通できる
孔部（第一の孔部１２ｂ）を有する電圧検出部１２ａを備えている。図に示す例において
は、電圧検出部１２ａは端子接続面１２ｃから延伸する、支持部１２ｈを備えている。支
持部１２ｈは一方の端子接続面１２ｃとの接続部からバスバー１２の周囲を回り他方の端
子接続面１２ｃ側に延びて電圧検出部１２ａが形成されている。このため電圧検出部１２
ａは、バスバー１２との位置が各方向にずれたとしても支持部１２ｈが変形し応力を吸収
するよう設計されている。
【００１８】
図３では、電圧検出部１２ａは上述したように支持部１２ｈを設け、端子接続面１２ｃか
ら延伸するように形成されているが、少なくとも高さ方向Ｚに移動の自由度があるよう弾
性変形できる形状であればこれに限られることはなく、例えば応力緩和部１２ｄから延伸
するように形成されていてもよい。
【００１９】
電圧検出部１２ａは、バスバー１２の一部として同じ素材である導電性のアルミニウム
や真鍮などにより形成されているため、二次電池セル５の正極端子７ａや負極端子７ｂに
電気的に接続されている。よって、電圧検出部１２ａはバスバー１２が接続した二次電池
セル５と同じ電位を持つこととなる。
【００２０】
また、バスバー１２はピン孔１２ｇを有する。ピン孔１２ｇは、上部ケース３のバスバ
ー１２と対向する位置に立設された後述するピン２０を挿通できるように形成されており
、例えばバスバー１２の端子接続面１２ｃから延伸するように形成されている。ピン孔１
２ｇは一つに限られることなく、複数設けられていてもよい。
【００２１】
図１に示した組電池１は、二次電池セル５の温度や電圧等の状態を監視する監視装置１
２を有した基板１３を備える。監視装置１２はさらに、組電池１の温度、電圧、電流等の
状態を監視することもできる。また、組電池１と外部電源（充電装置）若しくはモータな
どの負荷との接続回路を切断することもできる。
【００２２】
上述したように、基板１３は各電池セル電圧の情報を監視するため、バスバー１２の電
圧検出部１２ａと電気的に接続されている。以下、その接続部分について詳しく説明する
。
【００２３】
図４は、図１に示した組電池１の分解斜視図の一部拡大図である。二次電池５の正極端
子７ａや負極端子７ｂに接続されたバスバー１２は、電圧検出部１２ａを介して基板１３
と電気的に接続されている。基板１３には、ねじ部材１４を挿通するための第二の孔部１
３ａを備えている。第二の孔部１３ａは、組電池１に備わる二次電池セル５の電圧などを
測定するためのものであり、二次電池セル５を複数備えているならば、複数の第二の孔部
１３ａを備えることになる。また、第二の孔部１３ａの縁部は中空円状の金属部材１３ｂ
を有し、金属部材１３ｂは監視装置１２と電気的に接続（図示していない）されている。
【００２４】
電圧検出部１２ａは、第一の孔部１２ｂを備えており、基板１３を介した反対側からね
じ部材１４が第二の孔部１３ａと第一の孔部１２ｂに挿通されている。また、電圧検出部
１２ａの二次電池５側にはナット１５が備わっており、ねじ部材１４と篏合される。これ
により、基板１３と電圧検出部１２ａはねじ部材１４とナット１５が締結され、基板１３
と電圧検出部１２ａとがねじ部材１４とナット１５に挟み込まれるように固定される。
【００２５】
また、ナット１５は電圧検出部１２ａと接する平面にフランジ状 の円形平面１５ａを
備えており、ナット１５と電圧検出部１２ａとの接触面を広く確保している。さらに、ナ
ット１５の円形平面１５ａを備えていない面、つまりはナット１５の二次電池セル５を備
える側に対向する上部ケース３には、ナット１５と篏合する形状を有したナット収容部１
６を備えている。ナット収容部１６は、例えばナット１５の断面形状が６角形ならばナッ
ト収容部１６の断面形状も６角形であることが好ましい。
【００２６】
本実施例において、組電池１は以下のような組み立て手順をとる。まず、下部ケース２
に二次電池セル５を並べ、上部ケース３を連結する。その後、ナット１５をナット収容部
１６に置き、ピン孔１２ｇをピン２０に挿入したうえでバスバーと端子７とを溶接する。
さらに、基板１３とバスバーをねじ部材１４により締結した上で蓋４を載せる。
【００２７】
このような実施例において、組電池１を組み立てる際に 、ナット収容部１６を設ける
ことで、ナット１５が想定した位置以外に移動し、例えば二次電池セル５の短絡を招くこ
とを防止することができる。また、ナット１５をナット収容部１６に設置した後、バスバ
ー１２を二次電池セル５の上部に設置して、バスバー１２の端子接続面１２ｃと正極端子
７や負極端子８に溶接する際に、ナット１５が正しい位置にあるのでバスバー１２の位置
決めが容易になる。さらにピン２０を備える構造であれば、ピン孔１２ｇがピン２０に挿
入されることでバスバー１２の位置決めがさらに容易になる。
さらに、バスバー１２が二次電池の端子に溶接等で固定された後、基板１３で二次電池
セル５を覆うように置き、ねじ部材１４で基板１３の第二の孔部１３ａとバスバー１２の
電圧検出部１２ａとを固定する際に、ナット１５は上部ケース３に完全に固定されること
なくＺ軸方向に対して自由に動くことができる状態である。さらには、バスバー１２電圧
検出部１２ａもＺ軸方向に対して自由に動くことができるように形成されている。よって
、基板１３が完全な平面でなくひずみを持っている場合やZ軸方向の位置にバラつきがある場合であっても、ねじ部材１４の締結時にナット１５がＺ軸方向に移動することで、基板１３のバラつきに影響を受けることがなく、基板１３の第二の孔部１３ａとバスバー１２の電圧検出部１２ａを密に締結することができる。これにより、第二の孔部１３ａと電圧検出部１２ａが接触不良を起こすことがなく、二次電池セル５の電圧を正確に測定することができる。
【００２８】
また、複数の二次電池セル５を備えた組電池であった場合、基板１３に多くの電圧測定
点を要するため基板１３のひずみやバラつきが生じることでバスバーとの接触不良が発生
する可能性が高くなる。しかし、上記のような構成にすることで基板１３とバスバー１２
のそれぞれの接触部でＺ軸方向の自由度が確保されているため、基板１３のＺ軸方向のバ
ラつきに影響されることがなく接触不良を解消することができる。
【００２９】
次に変形例１について図５および図６を用いて説明する。図５はナット１５とナット収
容部１６の分解斜視図であるが、ここに示すように、ナット収容部１６の内側面、つまり
はナット１５の外側面と接する面にはリブ２１が形成されている。図６は図５のＡ―Ａに
沿った断面図であるが、ナット収容部１６の内側面において３角形断面形状を有するリブ
２１を備えている。リブ２１はナット１５よりも柔らかい材料で形成されているため、ナ
ット１５をナット収容部１６に挿入することでリブ２１は潰され、ナット１５がリブ２１
を介してナット収容部１６に固定される。
【００３０】
次に変形例２について図７及び図８を用いて説明する。図７はナット１５とナット収容
部１６の分解斜視図であるが、ナット収容部１６の底面にはボス部２２が形成されている
。図８は図７のＢ―Ｂに沿った断面図であるが、ナット収容部１６の底面部において、ナ
ット１５の中空部１５ｂに篏合する、突起状のボス部２２を有する。ボス部２２は中空部
１５ｂの直径よりも大きな直径を有しているため、ボス部２２が中空部１５ｂを篏合する
ときに、ボス部２２が中空部１５ｂを内側から外側に向かう方向に適度に加圧され、固定
される。このときナット１５がＸＹ平面状を動くことはないが、Ｚ軸方向に動くことがで
きる程度に固定されている。
【００３１】
続いて変形例３について図９及び図１０を用いて説明する。図９はナット１５とナット
収容部１６の分解斜視図であるが、ナット収容部１６の一部側面にはナット１５の円形平
面１５ａを固定するための係止爪であるスナップフィット２３が形成されている。図１０
は図９のＣ―Ｃに沿った断面図であるが、ナット１５をナット収容部１６に収めた際に、
ナット１５の円形平面１５ａに係合する位置にスナップフィット２３が形成されている。
このような変形例において、スナップフィット２３がナット１５の円形平面１５ａに係合
することで、ナット１５がナット収容部１６に固定される。ここで、スナップフィット２
３はナット１５の円形平面１５ａに完全に係合されているわけでなく、Ｚ軸方向に対して
ナット１５が多少移動することができる程度にスナップフィット２３が形成されている。
【００３２】
続いて変形例４について図１１を用いて説明する。図１１は図１に示した組電池１の分
解斜視図の一部拡大図である。バスバー１２、基板１３の構成は実施例１と同じであるが
、基板１３のＺ軸方向上部に第二のナット２４を備え、電圧検出部１２ａの下部に第二の
ねじ部材２５を備えている点が異なる。
【００３３】
第二のねじ部材２５は、上部ケース３に対向する部分に第二のねじ頭部２５ａを備えて
おり、その第二のねじ頭部２５ａに篏合する形状を有したねじ頭部収容部２６を上部ケー
ス３の、第二のねじ頭部２５ａに対向する位置に形成されている。ねじ頭部収容部２６は
、例えば第二のねじ頭部２５ａの形状が６角形ならばねじ頭部収容部２６の断面形状も６
角形であることが好ましい。
【００３４】
第二のねじ部材２５のねじ部２４ｂは、バスバー１２の第一の孔部１２ｂと基板１３の
第二の孔部１３ａに挿入され、基板１３の上部に設けられた第二のナット２４と篏合、締
結される。これにより、実施例１と同様に基板１３と電圧検出部１２ａが第二のナット２
４と第二のねじ部材２５により挟み込まれるように固定される。
【００３５】
本変形例では、組電池１は以下のような組み立て手順をとる。まず、下部ケース２に二
次電池セル５を並べ、上部ケース３を連結する。その後、第二のねじ部材２５をねじ頭部
収容部２６に置き、ピン孔１２ｇをピン２０に挿入したうえでバスバーと端子７とを溶接
する。さらに、基板１３とバスバーを第二のナット２４により締結した上で蓋４を載せる
。
【００３６】
本変形例の組電池の組み立て時 において、まず、第二のねじ部材２５を上部ケース３
のねじ収容部に挿入し、ねじ部２４ｂが上部ケース３から立設した状態で、バスバー１２
の第一の孔部１２ｂと基板１３の第二の孔部１３ａに挿入することができる。第二のねじ
部材２５が立設されているため、電圧検出部１２ａ、基板の孔部１３ａを立設した第二の
ねじ部を挿入するだけでよい。つまり組み立てをより容易 にすることができる。
【００３７】
次に変形例５について図１２及び図１３を用いて説明する。図１２は変形例４で説明し
た第二のねじ部材２５とねじ頭部収容部２６の分解斜視図であるが、ここに示すように、
ねじ頭部収容部２６の内側面、つまりは第二のねじ部材２５の第二のねじ頭部２５ａ外側
面と接する面にはリブ２７が形成されている。図１３は図１２のＤ―Ｄに沿った断面図で
あるが、ねじ頭部収容部２６の内側面において３角形断面形状を有する第二のリブ２７を
備えている。リブ２５は第二のねじ頭部２５ａよりも柔らかい材料で形成されているため
、第二のねじ頭部２５ａをねじ頭部収容部２６に挿入することで第二のリブ２７は潰され
、第二のねじ頭部２５ａが第二のリブ２７を介してねじ頭部収容部２６に固定される。
【００３８】
次に変形例６について図１４及び図１５を用いて説明する。図１４は変形例４で説明した
第二のねじ部材２５とねじ頭部収容部２６の分解斜視図であるが、ねじ頭部収容部２６の
一部側面には第二のねじ頭部２５ａのＺ軸方向上面の円形平面２５ｃを固定するための係
止爪である第二のスナップフィット２８が形成されている。図１５は図１４のＥ―Ｅに沿
った断面図であるが、第二のねじ頭部２５ａをねじ頭部収容部２６に収めた際に、第二の
ねじ頭部２５ａのＺ軸方向上面の円形平面２５ｃに係合する位置に第二のスナップフィッ
ト２８が形成されている。このような変形例において、第二のスナップフィット２８が、
第二のねじ頭部２５ａをねじ頭部収容部２６に係合することで、第二のねじ部材２５とね
じ頭部収容部２６に固定される。
【００３９】
以上のような実施例、変形例において、ナット１５や第二のねじ部材２５が上部ケース
３に固定される。これにより、バスバー１２と基板１３とを接続して組電池を組み立てる
場合に、ナット１５や第二のねじ部材２５の位置が固定されるので、組み立て性が向上す
る。
【００４０】
本発明のいくつかの実施形態を説明したが、これらの実施形態は、例として提示したも
のであり、発明の範囲を限定することは意図していない。これら実施形態は、その他の様
々な形態で実施されることが可能であり、発明の要旨を逸脱しない範囲で、種々の省略、
置き換え、変更を行うことができる。これら実施形態やその変形は、発明の範囲や要旨に
含まれると同様に、特許請求の範囲に記載された発明とその均等の範囲に含まれるもので
ある。
【符号の説明】
【００４１】
１…組電池、2…下部ケース、3…上部ケース、4…蓋、５…二次電池、6…外装容器、7a…
正極端子、７ｂ…負極端子、8…ガス排出弁、12…バスバー、15…ナット、16…ナット収
容部、20…ピン、21…リブ、22…ボス部、23…スナップフィット、25…第二のねじ部材、
26…ねじ頭部収容部
【図１】
2019053928.tif 000003
【図２】
2019053928.tif 000004
【図３】
2019053928.tif 000005
【図４】
2019053928.tif 000006
【図５】
2019053928.tif 000007
【図６】
2019053928.tif 000008
【図７】
2019053928.tif 000009
【図８】
2019053928.tif 000010
【図９】
2019053928.tif 000011
【図１０】
2019053928.tif 000012
【図１１】
2019053928.tif 000013
【図１２】
2019053928.tif 000014
【図１３】
2019053928.tif 000015
【図１４】
2019053928.tif 000016
【図１５】
2019053928.tif 000017